(57)【要約】【課題】  本発明は、フタロシアニン系シアン染料を用いたインク組成物により作成される画像の室内保存性（ガス耐性）を向上させることのできるインク組成物を提供することを目的とする。【解決手段】  本発明は、少なくとも、水と、請求の範囲に示す一般式（Ｉ）で示されるフタロシアニン系シアン染料と、請求の範囲に示す一般式（ａ）及び／又は（ｂ）で表されるスルホン基を有する芳香族化合物及び／又はその塩とを含んでなることを特徴とするインク組成物を提供する。また、本発明は、インク組成物の液滴を吐出し、該液滴を記録媒体に付着させて記録を行うインクジェット記録方法であって、インク組成物として上記インク組成物を使用するインクジェット記録方法を提供する。さらに、本発明は、上記インク組成物を用いて記録されたことを特徴とする記録物を提供する。【選択図】  なし【特許請求の範囲】
【請求項１】
少なくとも、水と、下記の式（Ｉ）で示されるフタロシアニン系シアン染料と、下記の一般式（ａ）及び／又は（ｂ）で表されるスルホン基を有する芳香族化合物及び／又はその塩とを含んでなることを特徴とするインク組成物。
【化１】
2005232296.tif 000017
（式中、Ｘ11、Ｘ12、Ｘ13およびＸ14は、それぞれ独立に、−ＳＯ2ＮＲ1Ｒ2及び／又はスルホン基を表す。但しＸ11、Ｘ12、Ｘ13及びＸ14のすべてが同時にスルホン基になることはない。ここで、Ｒ1は、複数個存在する場合それぞれ独立に、水素原子、置換もしくは無置換のアルキル基、置換もしくは無置換のシクロアルキル基、置換もしくは無置換のアルケニル基、置換もしくは無置換のアラルキル基、置換もしくは無置換のアリール基、または置換もしくは無置換のヘテロ環基を表す。Ｒ2は、複数個存在する場合それぞれ独立に、置換もしくは無置換のアルキル基、置換もしくは無置換のシクロアルキル基、置換もしくは無置換のアルケニル基、置換もしくは無置換のアラルキル基、置換もしくは無置換のアリール基、または置換もしくは無置換のヘテロ環基を表す。Ｒ1とＲ2は互いに結合して５〜６員含窒素ヘテロ環を形成してもよい。
Ｙ11、Ｙ12、Ｙ13、Ｙ14、Ｙ15、Ｙ16、Ｙ17およびＹ18は、それぞれ独立に、水素原子、ハロゲン原子、アルキル基、シクロアルキル基、アルケニル基、アラルキル基、アリール基、ヘテロ環基、シアノ基、ヒドロキシ基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基またはイオン性親水性基を表し、各々の基はさらに置換基を有していてもよい。
ａ11〜ａ14は、それぞれＸ11〜Ｘ14の置換基数を表し、それぞれ独立に、０〜２の整数であるが、すべてが同時に０になることはない。
Ｍは、水素原子、金属元素またはその酸化物、水酸化物もしくはハロゲン化物である。
但し、Ｘ11、Ｘ12、Ｘ13、Ｘ14、Ｙ11、Ｙ12、Ｙ13、Ｙ14、Ｙ15、Ｙ16、Ｙ17およびＹ18のうちの少なくとも１つは、イオン性親水性基であるかまたはイオン性親水性基を置換基として有する基である。）
【化２】
2005232296.tif 000018
（式中、Ｍ1は塩を構成する対イオンを示し、Ｘは１〜３の整数を示し、Ｒ1及びＲ2はそれぞれ水素原子、炭素数１〜６のアルキル基又は炭素数１〜６のアルコキシ基を示し、Ｒ1及びＲ2は同一でも異なっていても良い。）
【化３】
2005232296.tif 000019
（式中、Ｍ2は塩を構成する対イオンを示し、Ｙは１〜４の整数を示し、Ｒ3及びＲ4はそれぞれ水素原子、炭素数１〜６のアルキル基又は炭素数１〜６のアルコキシ基を示し、Ｒ3及びＲ4は同一でも異なっていても良い。）
【請求項２】
前記式（Ｉ）で示されるフタロシアニン系シアン染料が、下記の式（II）で示されるフタロシアニン系染料である、請求項１に記載のインク組成物。
【化４】
2005232296.tif 000020
（式中、Ｒ11、Ｒ12、Ｒ13およびＲ14は、それぞれ独立に、水素原子、置換もしくは無置換のアルキル基、置換もしくは無置換のシクロアルキル基、置換もしくは無置換のアルケニル基、置換もしくは無置換のアラルキル基、置換もしくは無置換のアリール基、または置換もしくは無置換のヘテロ環基を表す。
Ｖ1、Ｖ2、Ｖ3およびＶ4は、それぞれ独立に、置換もしくは無置換のアルキル基、置換もしくは無置換のシクロアルキル基、置換もしくは無置換のアルケニル基、置換もしくは無置換のアラルキル基、置換もしくは無置換のアリール基、または置換もしくは無置換のヘテロ環基を表す。
Ｙ31、Ｙ32、Ｙ33、Ｙ34、Ｙ35、Ｙ36、Ｙ37およびＹ38は、それぞれ独立に、水素原子、ハロゲン原子、アルキル基、シクロアルキル基、アルケニル基、アラルキル基、アリール基、ヘテロ環基、シアノ基、ヒドロキシ基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基またはイオン性親水性基を表し、各々の基はさらに置換基を有していてもよい。
Ｍは一般式（Ｉ）におけるＭと同義である。
Ｒ11、Ｒ12、Ｒ13、Ｒ14、Ｖ1、Ｖ2、Ｖ3、Ｖ4、Ｙ31、Ｙ32、Ｙ33、Ｙ34、Ｙ35、Ｙ36、Ｙ37およびＹ38のうちの少なくとも１つはイオン性親水性基であるかまたはイオン性親水性基を置換基として有する基である。）
【請求項３】
前記スルホン基を有する芳香族化合物及び／又はその塩が、スルホン基を２つ以上有する、請求項１又は２記載のインク組成物。
【請求項４】
前記スルホン基を有する芳香族化合物及び／又はその塩が、１，３−ベンゼンジスルホン酸、ナフタレン−１，５−ジスルホン酸、ナフタレン−１，６−ジスルホン酸、ナフタレン−２，６−ジスルホン酸、ナフタレン−２，７−ジスルホン酸、ナフタレン−１，３，６−トリスルホン酸、及びそれらの塩からなる群より選択される少なくとも１種である、請求項３記載のインク組成物。
【請求項５】
前記スルホン基を有する芳香族化合物及び／又はその塩を、インク組成物全量に対して０．１〜１０重量％含んでなる、請求項１〜４の何れかに記載のインク組成物。
【請求項６】
前記フタロシアニン系シアン染料と、前記スルホン基を有する芳香族化合物及び／又はその塩との含有比率が、１：０．１〜１：１０の範囲内にある、請求項１〜５の何れかに記載のインク組成物。
【請求項７】
更に、ノニオン系界面活性剤を含んでなる、請求項１〜６の何れかに記載のインク組成物。
【請求項８】
前記ノニオン系界面活性剤が、アセチレングリコール系界面活性剤である、請求項７記載のインク組成物。
【請求項９】
前記ノニオン系界面活性剤をインク組成物全量に対して０．１〜５重量％含んでなる、請求項７又は８に記載のインク組成物。
【請求項１０】
更に、浸透促進剤を含んでなる、請求項１〜９の何れかに記載のインク組成物。
【請求項１１】
前記浸透促進剤が、グリコールエーテル類である、請求項１０に記載のインク組成物。
【請求項１２】
２０℃におけるインク組成物のｐＨが、８．０〜１０．５である、請求項１〜１１の何れかに記載のインク組成物。
【請求項１３】
インクジェット記録方法において用いられる、請求項１〜１２の何れかに記載のインク組成物。
【請求項１４】
前記インクジェット記録方法が、電歪素子の機械的変形によりインク滴を形成するインクジェットヘッドを用いた記録方法である、請求項１３に記載のインク組成物。
【請求項１５】
請求項１〜１４の何れかに記載のインク組成物を少なくとも備えることを特徴とするインクカートリッジ。
【請求項１６】
インク組成物の液滴を吐出し、該液滴を記録媒体に付着させて記録を行うインクジェット記録方法であって、インク組成物として請求項１〜１４の何れかに記載のインク組成物を使用することを特徴とするインクジェット記録方法。
【請求項１７】
請求項１〜１４の何れかに記載のインク組成物を用いて記録されたことを特徴とする記録物。
【発明の詳細な説明】
【技術分野】
【０００１】
本発明は、作成される画像の室内保存性（ガス耐性）を向上させることのできるインク組成物、詳細には、画像の変退色を効果的に防止することのできるフタロシアニン系シアン染料含有インク組成物に関する。
【背景技術】
【０００２】
従来から、優れたシアン色等の画像を発色させるためのインク組成物として、フタロシアニン系シアン染料を用いたインク組成物が広く利用されている。また、昨今、このような画像を発色させるインク組成物を、他の色を発色させるための一又は二以上のインク組成物とともに用いて画像を形成し、得られた複数色からなる画像（カラー画像）を室内等において掲示することが普及している。
【０００３】
しかし、このフタロシアニン系シアン染料を用いたインク組成物では、フタロシアニン系シアン染料が空気中に存在するオゾン、窒素酸化物や硫黄酸化物のような酸化性ガスに対する耐性、特に耐オゾン性に劣ることから、他色のインク組成物とともに複数色の画像を形成し、該画像を室内に掲示すると、該シアン染料から形成される画像が早期に変退色を起こすという問題があった。
【０００４】
このようなフタロシアニンの変退色を防止するために、種々のインク組成物が開発されている。例えば、ＷＯ９９／５０３６３号公報には、銅フタロシアニン系シアン染料と、イミダゾール誘導体と、酸化防止剤、糖、４位に水酸基又はアミノ基を有するナフタレン−１−スルホン酸の何れかを含んでなるシアンインク組成物が、耐光性を向上させる手段として開示されている（特許文献１）。しかし、このインク組成物では、オゾンガスの耐性については評価されておらず、また、使用成分の分子内に水酸基、アミノ基があり、これに起因して、窒素酸化物（ＮＯxガス）により画像が緑変又は黒変現象を起こすという問題がある。
【特許文献１】ＷＯ９９／５０３６３号公報
【発明の開示】
【発明が解決しようとする課題】
【０００５】
従って、本発明の目的は、フタロシアニン系シアン染料を用いたインク組成物により作成される画像の室内保存性（ガス耐性）を向上させることのできるインク組成物を提供することにある。
【課題を解決するための手段】
【０００６】
本発明者等は、鋭意研究した結果、シアン染料として特定のフタロシアニン系シアン染料を用いるとともに、特定のスルホン基を有する芳香族化合物を含有させたインク組成物が、前記目的を達成し得ることの知見を得た。
【０００７】
本発明は、前記知見に基づきなされたもので、
１．少なくとも、水と、下記の式（Ｉ）で示されるフタロシアニン系シアン染料と、下記の一般式（ａ）及び／又は（ｂ）で表されるスルホン基を有する芳香族化合物及び／又はその塩とを含んでなることを特徴とするインク組成物を提供するものである。
【０００８】
【化１】
2005232296.tif 000002
（式中、Ｘ11、Ｘ12、Ｘ13およびＸ14は、それぞれ独立に、−ＳＯ2ＮＲ1Ｒ2及び／又はスルホン基を表す。但しＸ11、Ｘ12、Ｘ13及びＸ14のすべてが同時にスルホン基になることはない。ここで、Ｒ1は、複数個存在する場合それぞれ独立に、水素原子、置換もしくは無置換のアルキル基、置換もしくは無置換のシクロアルキル基、置換もしくは無置換のアルケニル基、置換もしくは無置換のアラルキル基、置換もしくは無置換のアリール基、または置換もしくは無置換のヘテロ環基を表す。Ｒ2は、複数個存在する場合それぞれ独立に、置換もしくは無置換のアルキル基、置換もしくは無置換のシクロアルキル基、置換もしくは無置換のアルケニル基、置換もしくは無置換のアラルキル基、置換もしくは無置換のアリール基、または置換もしくは無置換のヘテロ環基を表す。Ｒ1とＲ2は互いに結合して５〜６員含窒素ヘテロ環を形成してもよい。
【０００９】
Ｙ11、Ｙ12、Ｙ13、Ｙ14、Ｙ15、Ｙ16、Ｙ17およびＹ18は、それぞれ独立に、水素原子、ハロゲン原子、アルキル基、シクロアルキル基、アルケニル基、アラルキル基、アリール基、ヘテロ環基、シアノ基、ヒドロキシ基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基またはイオン性親水性基を表し、各々の基はさらに置換基を有していてもよい。
【００１０】
ａ11〜ａ14は、それぞれＸ11〜Ｘ14の置換基数を表し、それぞれ独立に、０〜２の整数であるが、すべてが同時に０になることはない。
【００１１】
Ｍは、水素原子、金属元素またはその酸化物、水酸化物もしくはハロゲン化物である。
【００１２】
但し、Ｘ11、Ｘ12、Ｘ13、Ｘ14、Ｙ11、Ｙ12、Ｙ13、Ｙ14、Ｙ15、Ｙ16、Ｙ17およびＹ
18のうちの少なくとも１つは、イオン性親水性基であるかまたはイオン性親水性基を置換基として有する基である。）
【００１３】
【化２】
2005232296.tif 000003
（式中、Ｍ1は塩を構成する対イオンを示し、Ｘは１〜３の整数を示し、Ｒ1及びＲ2はそれぞれ水素原子、炭素数１〜６のアルキル基又は炭素数１〜６のアルコキシ基を示し、Ｒ1及びＲ2は同一でも異なっていても良い。）
【００１４】
【化３】
2005232296.tif 000004
（式中、Ｍ2は塩を構成する対イオンを示し、Ｙは１〜４の整数を示し、Ｒ3及びＲ4はそれぞれ水素原子、炭素数１〜６のアルキル基又は炭素数１〜６のアルコキシ基を示し、Ｒ3及びＲ4は同一でも異なっていても良い。）  
【００１５】
また、本発明は、以下に示すインク組成物、インクカートリッジ、インクジェット記録方法、及び記録物それぞれを提供するものである。
２．前記式（Ｉ）で示されるフタロシアニン系シアン染料が、下記の式（II）で示されるフタロシアニン系染料である、１．に記載のインク組成物。
【００１６】
【化４】
2005232296.tif 000005
（式中、Ｒ11、Ｒ12、Ｒ13およびＲ14は、それぞれ独立に、水素原子、置換もしくは無置換のアルキル基、置換もしくは無置換のシクロアルキル基、置換もしくは無置換のアルケニル基、置換もしくは無置換のアラルキル基、置換もしくは無置換のアリール基、または置換もしくは無置換のヘテロ環基を表す。
【００１７】
Ｖ1、Ｖ2、Ｖ3およびＶ4は、それぞれ独立に、置換もしくは無置換のアルキル基、置換もしくは無置換のシクロアルキル基、置換もしくは無置換のアルケニル基、置換もしくは無置換のアラルキル基、置換もしくは無置換のアリール基、または置換もしくは無置換のヘテロ環基を表す。
【００１８】
Ｙ31、Ｙ32、Ｙ33、Ｙ34、Ｙ35、Ｙ36、Ｙ37およびＹ38は、それぞれ独立に、水素原子、ハロゲン原子、アルキル基、シクロアルキル基、アルケニル基、アラルキル基、アリール基、ヘテロ環基、シアノ基、ヒドロキシ基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基またはイオン性親水性基を表し、各々の基はさらに置換基を有していてもよい。
【００１９】
Ｍは一般式（Ｉ）におけるＭと同義である。
【００２０】
Ｒ11、Ｒ12、Ｒ13、Ｒ14、Ｖ1、Ｖ2、Ｖ3、Ｖ4、Ｙ31、Ｙ32、Ｙ33、Ｙ34、Ｙ35、Ｙ36、Ｙ37およびＹ38のうちの少なくとも１つはイオン性親水性基であるかまたはイオン性親水性基を置換基として有する基である。）  
【００２１】
３．前記スルホン基を有する芳香族化合物及び／又はその塩が、スルホン基を２つ以上有する、１又は２記載のインク組成物。  
【００２２】
４．前記スルホン基を有する芳香族化合物及び／又はその塩が、１，３−ベンゼンジスルホン酸、ナフタレン−１，５−ジスルホン酸、ナフタレン−１，６−ジスルホン酸、ナフタレン−２，６−ジスルホン酸、ナフタレン−２，７−ジスルホン酸、ナフタレン−１，３，６−トリスルホン酸、及びそれらの塩からなる群より選択される少なくとも１種である、３記載のインク組成物。  
【００２３】
５．前記スルホン基を有する芳香族化合物及び／又はその塩を、インク組成物全量に対して０．１〜１０重量％含んでなる、１〜４の何れかに記載のインク組成物。  
【００２４】
６．前記フタロシアニン系シアン染料と、前記スルホン基を有する芳香族化合物及び／又はその塩との含有比率が、１：０．１〜１：１０の範囲内にある、１〜５の何れかに記載のインク組成物。  
【００２５】
７．更に、ノニオン系界面活性剤を含んでなる、１〜６の何れかに記載のインク組成物。      
【００２６】
８．前記ノニオン系界面活性剤が、アセチレングリコール系界面活性剤である、７記載のインク組成物。  
【００２７】
９．前記ノニオン系界面活性剤をインク組成物全量に対して０．１〜５重量％含んでなる、７又は８に記載のインク組成物。  
【００２８】
１０．更に、浸透促進剤を含んでなる、１〜９の何れかに記載のインク組成物。  
【００２９】
１１．前記浸透促進剤が、グリコールエーテル類である、１０に記載のインク組成物。
【００３０】
１２．２０℃におけるインク組成物のｐＨが、８．０〜１０．５である、１〜１１の何れかに記載のインク組成物。  
【００３１】
１３．インクジェット記録方法において用いられる、１〜１２の何れかに記載のインク組成物。  
【００３２】
１４．前記インクジェット記録方法が、電歪素子の機械的変形によりインク滴を形成するインクジェットヘッドを用いた記録方法である、１３に記載のインク組成物。  
【００３３】
１５．１〜１４の何れかに記載のインク組成物を少なくとも備えることを特徴とするインクカートリッジ。  
【００３４】
１６．インク組成物の液滴を吐出し、該液滴を記録媒体に付着させて記録を行うインクジェット記録方法であって、インク組成物として１〜１４の何れかに記載のインク組成物を使用することを特徴とするインクジェット記録方法。  
【００３５】
１７．１〜１４の何れかに記載のインク組成物を用いて記録されたことを特徴とする記録物。
【００３６】
以下、本発明のインク組成物について、その好ましい実施形態に基づき詳細に説明する。
【００３７】
本発明のインク組成物は、既述の通り、少なくとも、水と、前記の式（Ｉ）で示されるフタロシアニン系シアン染料と、前記の一般式（ａ）及び／又は（ｂ）で表されるスルホン基を有する芳香族化合物及び／又はその塩とを含んでなることを特徴とする。
【００３８】
本発明のインク組成物は、かかる構成からなるものであるため、シアン画像の早期の退色を効果的に防止することができ、延いてはこれにより作成される画像の室内保存性（ガス耐性）を向上させることができる。
【００３９】
本発明のインク組成物は、水又は、水と水溶性有機溶剤からなる水性媒体中に、少なくとも、前記式（Ｉ）で示されるフタロシアニン系シアン染料と、前記の一般式（ａ）及び／又は（ｂ）で表されるスルホン基を有する芳香族化合物及び／又はその塩を含有し、必要に応じ、保湿剤、粘度調整剤、ｐＨ調整剤やその他の添加剤を含んでなることができる。
【００４０】
まず、本発明のインク組成物で使用されるシアン染料、即ち、下記式（Ｉ）で示されるフタロシアニン系シアン染料について詳細に説明する。
【００４１】
【化５】
2005232296.tif 000006
前記一般式（Ｉ）において、Ｘ11、Ｘ12、Ｘ13およびＸ14は、それぞれ独立に、−ＳＯ2ＮＲ1Ｒ2又はスルホン基を表し、特に−ＳＯ2ＮＲ1Ｒ2が好ましい。但しＸ11、Ｘ12、Ｘ13及びＸ14のすべてが同時にスルホン基になることはない。Ｒ1とＲ2は互いに結合して５〜６員含窒素ヘテロ環を形成してもよい。
【００４２】
Ｒ1はそれぞれ独立に、水素原子、置換もしくは無置換のアルキル基、置換もしくは無置換のシクロアルキル基、置換もしくは無置換のアルケニル基、置換もしくは無置換のアラルキル基、置換もしくは無置換のアリール基、または置換もしくは無置換のヘテロ環基を表し、特に水素原子、置換もしくは無置換のアルキル基、置換もしくは無置換のアリール基、置換もしくは無置換のヘテロ環基が好ましく、その中でも水素原子、置換アルキル基、置換アリール基、置換へテロ環基が好ましく、更に水素原子、置換アルキル基、置換アリール基が好ましく、水素原子が最も好ましい。
【００４３】
Ｒ2は、それぞれ独立に、置換もしくは無置換のアルキル基、置換もしくは無置換のシクロアルキル基、置換もしくは無置換のアルケニル基、置換もしくは無置換のアラルキル基、置換もしくは無置換のアリール基、または置換もしくは無置換のヘテロ環基を表し、その中でも置換もしくは無置換のアルキル基、置換もしくは無置換のアリール基、置換もしくは無置換のヘテロ環基が好ましく、更に置換アルキル基、置換アリール基、置換へテロ環基が好ましく、特に置換アルキル基、置換アリール基が好ましく、置換アルキル基が最も好ましい。
【００４４】
Ｒ1およびＲ2が表す置換または無置換のアルキル基は、炭素原子数が１〜３０のアルキル基が好ましい。置換基の例としては、後述のＲ1、Ｒ2、Ｙ11、Ｙ12、Ｙ13、Ｙ14、Ｙ15、Ｙ16、Ｙ17およびＹ18が更に置換基を有することが可能な場合の置換基と同じものが挙げられる。
【００４５】
Ｒ1およびＲ2が表す置換または無置換のシクロアルキル基は、炭素原子数が５〜３０のシクロアルキル基が好ましい。置換基の例としては、後述のＲ1、Ｒ2、Ｙ11、Ｙ12、Ｙ13、Ｙ14、Ｙ15、Ｙ16、Ｙ17およびＹ18が更に置換基を有することが可能な場合の置換基と同じものが挙げられる。
【００４６】
Ｒ1およびＲ2が表す置換または無置換のアルケニル基は、炭素原子数が２〜３０のアルケニル基が好ましい。置換基の例としては、後述のＲ1、Ｒ2、Ｙ11、Ｙ12、Ｙ13、Ｙ14、Ｙ15、Ｙ16、Ｙ17およびＹ18が更に置換基を有することが可能な場合の置換基と同じものが挙げられる。
【００４７】
Ｒ1およびＲ2が表す置換または無置換のアラルキル基は、炭素原子数が７〜３０のアラルキル基が好ましい。置換基の例としては、後述のＲ1、Ｒ2、Ｙ11、Ｙ12、Ｙ13、Ｙ14、Ｙ15、Ｙ16、Ｙ17およびＹ18が更に置換基を有することが可能な場合の置換基と同じものが挙げられる。
【００４８】
Ｒ1およびＲ2が表す置換または無置換のアリール基は、炭素原子数が６〜３０のアリール基が好ましい。置換基の例としては、後述のＲ1、Ｒ2、Ｙ11、Ｙ12、Ｙ13、Ｙ14、Ｙ15、Ｙ16、Ｙ17およびＹ18が更に置換基を有することが可能な場合の置換基と同じものが挙げられる。
【００４９】
Ｒ1およびＲ2が表すヘテロ環基としては、５員または６員環のものが好ましく、それらは更に縮環していてもよい。また、芳香族ヘテロ環であっても非芳香族ヘテロ環であっても良い。以下にＲ1およびＲ2で表されるヘテロ環基を、置換位置を省略してヘテロ環の形で例示するが、置換位置は限定されるものではなく、例えばピリジンであれば、２位、３位、４位で置換することが可能である。ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。中では芳香族ヘテロ環基が好ましく、その好ましい例を先と同様に例示すると、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールが挙げられる。
【００５０】
これらは置換基を有していても良く、置換基の例としては、後述のＲ1、Ｒ2、Ｙ11、Ｙ12、Ｙ13、Ｙ14、Ｙ15、Ｙ16、Ｙ17およびＹ18が更に置換基を有することが可能な場合の置換基と同じものが挙げられる。
【００５１】
Ｙ11、Ｙ12、Ｙ13、Ｙ14、Ｙ15、Ｙ16、Ｙ17およびＹ18は、それぞれ独立に、水素原子、ハロゲン原子、アルキル基、シクロアルキル基、アルケニル基、アラルキル基、アリール基、ヘテロ環基、シアノ基、ヒドロキシ基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基、カルボキシル基、またはスルホン基を表し、各々はさらに置換基を有していてもよい。
【００５２】
中でも、水素原子、ハロゲン原子、アルキル基、アリール基、シアノ基、アルコキシ基、アミド基、ウレイド基、スルホンアミド基、カルバモイル基、アルコキシカルボニル基、カルボキシル基、およびスルホン基が好ましく、特に水素原子、ハロゲン原子、シアノ基、カルボキシル基およびスルホン基が好ましく、水素原子が最も好ましい。
【００５３】
Ｒ1、Ｒ2、Ｙ11、Ｙ12、Ｙ13、Ｙ14、Ｙ15、Ｙ16、Ｙ17およびＹ18がさらに置換基を有することが可能な基であるときは、以下に挙げたような置換基をさらに有してもよい。
【００５４】
ハロゲン原子（例えば、塩素原子、臭素原子）；炭素数１〜１２の直鎖または分岐鎖アルキル基、炭素数７〜１８のアラルキル基、炭素数２〜１２のアルケニル基、炭素数２〜１２の直鎖または分岐鎖アルキニル基、側鎖を有していてもよい炭素数３〜１２のシクロアルキル基、側鎖を有していてもよい炭素数３〜１２のシクロアルケニル基（上記基の具体的例として、例えばメチル、エチル、プロピル、イソプロピル、ｔ−ブチル、２−メチルスルホニルエチル、３−フェノキシプロピル、トリフルオロメチル、シクロペンチル）：アリール基（例えば、フェニル、４−ｔ−ブチルフェニル、２，４−ジ−ｔ−アミルフェニル）；ヘテロ環基（例えば、イミダゾリル、ピラゾリル、トリアゾリル、２−フリル、２−チエニル、２−ピリミジニル、２−ベンゾチアゾリル）；アルコキシ基（例えば、メトキシ、エトキシ、２−メトキシエトキシ、２−メチルスルホニルエトキシ）；アリールオキシ基（例えば、フェノキシ、２−メチルフェノキシ、４−ｔ−ブチルフェノキシ、３−ニトロフェノキシ、３−ｔ−ブチルオキシカルボニルフェノキシ、３−メトキシカルボニルフェノキシ）；アシルアミノ基（例えば、アセトアミド、ベンズアミド、４−（３−ｔ−ブチル−４−ヒドロキシフェノキシ）ブタンアミド）；アルキルアミノ基（例えば、メチルアミノ、ブチルアミノ、ジエチルアミノ、メチルブチルアミノ）；アニリノ基（例えば、フェニルアミノ、２−クロロアニリノ）；ウレイド基（例えば、フェニルウレイド、メチルウレイド、Ｎ，Ｎ−ジブチルウレイド）；スルファモイルアミノ基（例えば、Ｎ，Ｎ−ジプロピルスルファモイルアミノ）；アルキルチオ基（例えば、メチルチオ、オクチルチオ、２−フェノキシエチルチオ）；アリールチオ基（例えば、フェニルチオ、２−ブトキシ−５−ｔ−オクチルフェニルチオ、２−カルボキシフェニルチオ）；アルキルオキシカルボニルアミノ基（例えば、メトキシカルボニルアミノ）；スルホンアミド基（例えば、メタンスルホンアミド、ベンゼンスルホンアミド、ｐ−トルエンスルホンアミド）；カルバモイル基（例えば、Ｎ−エチルカルバモイル、Ｎ，Ｎ−ジブチルカルバモイル）；スルファモイル基（例えば、Ｎ−エチルスルファモイル、Ｎ，Ｎ−ジプロピルスルファモイル、Ｎ，Ｎ−ジエチルスルファモイル）；スルホニル基（例えば、メチルスルホニル、オクチルスルホニル、フェニルスルホニル、４−メチルフェニルスルホニル）；アルキルオキシカルボニル基（例えば、メトキシカルボニル、ブチルオキシカルボニル）；ヘテロ環オキシ基（例えば、１−フェニルテトラゾール−５−オキシ、２−テトラヒドロピラニルオキシ）；アゾ基（例えば、フェニルアゾ、４−メトキシフェニルアゾ、４−ピバロイルアミノフェニルアゾ、２−ヒドロキシ−４−プロパノイルフェニルアゾ）；アシルオキシ基（例えば、アセトキシ）；カルバモイルオキシ基（例えば、Ｎ−メチルカルバモイルオキシ、Ｎ−フェニルカルバモイルオキシ）；シリルオキシ基（例えば、トリメチルシリルオキシ、ジブチルメチルシリルオキシ）；アリールオキシカルボニルアミノ基（例えば、フェノキシカルボニルアミノ）；イミド基（例えば、Ｎ−スクシンイミド、Ｎ−フタルイミド）；ヘテロ環チオ基（例えば、２−ベンゾチアゾリルチオ、２，４−ジ−フェノキシ−１，３，５−トリアゾール−６−チオ、２−ピリジルチオ）；スルフィニル基（例えば、３−フェノキシプロピルスルフィニル）；ホスホニル基（例えば、フェノキシホスホニル、オクチルオキシホスホニル、フェニルホスホニル）；アリールオキシカルボニル基（例えば、フェノキシカルボニル）；アシル基（例えば、アセチル、３−フェニルプロパノイル、ベンゾイル）；イオン性親水性基（例えば、カルボキシル基、スルホン基、４級アンモニウム基、スルホニルスルファモイル基およびアシルスルファモイル基）；その他シアノ基、ヒドロキシ基、ニトロ基、アミノ基等が挙げられる。これらの置換基の中でも、ヒドロキシ基、アルコキシ基、スルファモイル基、スルホンアミド基、アシルアミノ基、カルバモイル基、シアノ基およびイオン性親水性基が好ましく、中でもヒドロキシ基、スルファモイル基、イオン性親水性基が特に好ましい。
【００５５】
一般式（Ｉ）においてａ11〜ａ14は、それぞれＸ11〜Ｘ14の置換基数を表し、それぞれ独立に、０〜２の整数を表す。但し、ａ11〜ａ14すべてが同時に０になることはない。ａ11〜ａ14は、それぞれ１であることが特に好ましい。
【００５６】
Ｍは、水素原子、金属元素、金属酸化物、金属水酸化物、または金属ハロゲン化物を表す。
【００５７】
Ｍとして好ましいものは、水素原子の他に、金属元素として、Li、Na、Ｋ、Mg、Ti、Zr、Ｖ、Nb、Ta、Cr、Mo、Ｗ、Mn、Fe、Co、Ni、Ru、Rh、Pd、Os、Ir、Pt、Cu、Ag、Au、Zn、Cd、Hg、Al、Ga、In、Si、Ge、Sn、Pb、Sb、Bi等が挙げられる。酸化物としては、VO、GeO等が好ましく挙げられる。また、水酸化物としては、Si(OH)2、Cr(OH)2、Sn(OH)2等が好ましく挙げられる。さらに、ハロゲン化物としては、AlCl、SiCl2、VCl、VCl2、VOCl、FeCl、GaCl、ZrCl等が挙げられる。なかでも、Ｃｕ、Ni、Zn、Al等が好ましく、Ｃｕが最も好ましい。
【００５８】
また、一般式（Ｉ）で表されるフタロシアニン化合物は、Ｌ（２価の連結基）を介してＰｃ（フタロシアニン環）が２量体（例えば、Ｐｃ−Ｍ−Ｌ−Ｍ−Ｐｃ）または３量体を形成してもよく、そのとき複数個存在するＭは、それぞれ同一であっても異なるものであってもよい。
【００５９】
Ｌで表される２価の連結基は、オキシ基−Ｏ−、チオ基−Ｓ−、カルボニル基−ＣＯ−、スルホニル基−ＳＯ2−、イミノ基−ＮＨ−、メチレン基−ＣＨ2−、及びこれらを組み合わせて形成される基が好ましい。
【００６０】
上記一般式（Ｉ）において、フタロシアニン化合物の分子量は７５０〜３０００の範囲が好ましく、さらに９９５〜２５００の範囲の分子量が好ましく、その中でも９９５〜２０００の分子量が好ましく、特に９９５〜１８００の範囲の分子量が最も好ましい。
【００６１】
一般式（Ｉ）で表されるフタロシアニン化合物が、Ｌ（２価の連結基）を介してＰｃ（フタロシアニン環）が２量体（例えば、Ｐｃ−Ｍ−Ｌ−Ｍ−Ｐｃ）または３量体を形成する場合において、好ましい分子量、例えば特に好ましい分子量は、上記記載の特に好ましい分子量（９９５〜１８００の範囲）の２倍（２量体の場合）、または３倍（３量体の場合）である。ここで、上記２または３量体の好ましい分子量は、連結基Ｌを含んだ値である。
【００６２】
一般式（Ｉ）で表されるフタロシアニン化合物は、Ｘ11、Ｘ12、Ｘ13、Ｘ14、Ｙ11、Ｙ12、Ｙ13、Ｙ14、Ｙ15、Ｙ16、Ｙ17及びＹ18の少なくとも１つは、イオン性親水性基であるかまたはイオン性親水性基を置換基として有する基である。
【００６３】
置換基としてのイオン性親水性基には、スルホン基（−ＳＯ3-Ｘ+）、カルボキシル基（−ＣＯ2-Ｘ+）、および４級アンモニウム基（−Ｎ+ＲＲ'Ｒ"Ｘ-）、アシルスルファモイル基（−ＳＯ2Ｎ+Ｘ-ＣＯＲ）、スルホニルカルバモイル基（−ＣＯＮ+Ｘ-ＳＯ2Ｒ）、スルホニルスルファモイル基（−ＳＯ2Ｎ+Ｘ-ＳＯ2Ｒ）等が含まれる。好ましくは、スルホン基、カルボキシル基および４級アンモニウム基であり、特にスルホン基が好ましい。スルホン基、カルボキシル基、アシルスルファモイル基、スルホニルカルバモイル基およびスルホニルスルファモイル基は塩の状態であってもよく、塩を形成する対イオンの例には、アルカリ金属イオン（例、ナトリウムイオン、カリウムイオン、リチウムイオン）、アンモニウムイオン、有機カチオン（例、テトラメチルグアニジニウムイオン）、有機及び／又は無機アニオン（例、ハロゲンイオン、メタンスルホン酸イオン、ベンゼンスルホン酸イオン）が含まれる。なお、上記カッコ内のＸは、水素原子または対イオン、Ｒ、Ｒ'、Ｒ"は置換基を表す。
【００６４】
一般式（Ｉ）で表されるフタロシアニン化合物は、一分子中にイオン性親水性基またはイオン性親水性基を置換基として有する基が少なくとも１つ存在しているので、水性媒体中に対する溶解性または分散性が良好となる。このような観点から、一般式（Ｉ）で表されるフタロシアニン化合物としては、一分子中にイオン性親水性基を少なくとも２個有するものが好ましく、複数個のイオン性親水性基の少なくとも１個がスルホン基であるものがより好ましく、その中でも一分子中にスルホン基を少なくとも２個有するものが最も好ましい。
【００６５】
上記一般式（Ｉ）で表されるフタロシアニン化合物として特に好ましい化合物は、下記（イ）〜（ト）の組み合わせを有する化合物である。
（イ）Ｘ11〜Ｘ14に関しては、これらが、それぞれ独立に、−ＳＯ2ＮＲ1Ｒ2が好ましい。
（ロ）Ｒ1は、水素原子、置換もしくは無置換のアルキル基、置換もしくは無置換のアリール基、置換もしくは無置換のヘテロ環基が好ましく、その中でも水素原子、置換アルキル基、置換アリール基、置換ヘテロ環基が好ましく、水素原子が最も好ましい。
（ハ）Ｒ2は、置換もしくは無置換のアルキル基、置換もしくは無置換のアリール基、置換もしくは無置換のヘテロ環基が好ましく、その中でも置換アルキル基、置換アリール基、置換ヘテロ環基が好ましく、置換アルキル基が最も好ましい。更に、Ｒ1とＲ2のうちの少なくとも一方がイオン性親水性基かイオン性親水性基を置換基として有する基を置換基として有することがより好ましい。
（ニ）Ｙ11〜Ｙ18に関しては、これらが、それぞれ独立に、水素原子、ハロゲン原子、アルキル基、アリール基、シアノ基、アルコキシ基、アミド基、ウレイド基、スルホンアミド基、カルバモイル基、スルファモイル基、アルコキシカルボニル基、カルボキシル基、およびスルホン基が好ましく、特に水素原子、ハロゲン原子、シアノ基、カルボキシル基、およびスルホン基が好ましく、水素原子が最も好ましい。
（ホ）ａ11〜ａ14はそれぞれ１であることが好ましい。
（ヘ）Ｍは、Ｃｕ、Ni、Zn、またはAlであることが好ましく、なかでもＣｕであることが最も好ましい。
（ト）フタロシアニン化合物の分子量は、７５０〜３０００の範囲が好ましく、更に９９５〜２５００の範囲の分子量が好ましく、その中でも９９５〜２０００の範囲の分子量が好ましく、特に９９５〜１８００の範囲の分子量が最も好ましい。
【００６６】
前記一般式（Ｉ）で表される化合物の好ましい置換基の組み合わせについては、種々の置換基の少なくとも1つが前記の好ましい基である化合物が好ましく、より多くの種々の置換基が前記好ましい基である化合物がより好ましく、全ての置換基が前記好ましい基である化合物が最も好ましい。
【００６７】
一般式（Ｉ）で表されるフタロシアニン化合物の中でも、下記一般式（II）で表される
構造のフタロシアニン化合物がさらに好ましい。以下に、本発明で用いる一般式（II）で
表されるフタロシアニン化合物について詳しく述べる。
一般式（II）
【００６８】
【化６】
2005232296.tif 000007
前記一般式(II)中、Ｒ11、Ｒ12、Ｒ13およびＲ14は、それぞれ独立に、水素原子、置換
もしくは無置換のアルキル基、置換もしくは無置換のシクロアルキル基、置換もしくは無
置換のアルケニル基、置換もしくは無置換のアラルキル基、置換もしくは無置換のアリー
ル基、または置換もしくは無置換のヘテロ環基を表す。
【００６９】
Ｒ11、Ｒ12、Ｒ13およびＲ14に関する好ましい例は、一般式（Ｉ）の中のＲ1と同義で
ある。
【００７０】
Ｖ1、Ｖ2、Ｖ3およびＶ4は、それぞれ独立に、置換もしくは無置換のアルキル基、置換
もしくは無置換のシクロアルキル基、置換もしくは無置換のアルケニル基、置換もしくは
無置換のアラルキル基、置換もしくは無置換のアリール基、または置換もしくは無置換の
ヘテロ環基を表す。
【００７１】
Ｖ1、Ｖ2、Ｖ3およびＶ4の好ましい例は、一般式（Ｉ）の中のＲ2と同義である。
【００７２】
Ｙ31〜Ｙ38に関しては、それぞれ独立に一般式（Ｉ）の中のＹ11、Ｙ12、Ｙ13、Ｙ14、
Ｙ15、Ｙ16、Ｙ17およびＹ18とそれぞれ同義であり、好ましい例も同じである。
【００７３】
Ｍは一般式（Ｉ）におけるＭと同義であり、好ましい例も同じである。
【００７４】
但し、Ｒ11、Ｒ12、Ｒ13、Ｒ14、Ｖ1、Ｖ2、Ｖ3、Ｖ4、Ｙ31、Ｙ32、Ｙ33、Ｙ34、Ｙ35
、Ｙ36、Ｙ37およびＹ38の少なくとも１つはイオン性親水性基であるかまたはイオン性親
水性基を置換基として有する基である。
【００７５】
イオン性親水性基の例は、一般式（Ｉ）におけるＸ11、Ｘ12、Ｘ13、Ｘ14の例と同義で
あり、好ましい例も同じである。
【００７６】
一般式（II）で表されるフタロシアニン化合物は、イオン性親水性基またはイオン性親
水性基を置換基として有する基が一分子中に少なくとも１つ存在しているので、水性媒体
中に対する溶解性または分散性が良好となる。このような観点から、一般式（II）で表さ
れるフタロシアニン化合物は、一分子中にイオン性親水性基を少なくとも２個有するもの
が好ましく、複数個のイオン性親水性基の少なくとも１個がスルホン基であるものがより好
ましく、その中でも一分子中にスルホン基を少なくとも２個有するものが最も好ましい。
【００７７】
上記一般式（II）において、フタロシアニン化合物の分子量は７５０〜３０００の範囲
が好ましく、さらに９９５〜２５００の範囲の分子量が好ましく、その中でも９９５〜２
０００の分子量が好ましく、特に９９５〜１８００の範囲の分子量が最も好ましい。
【００７８】
但し、本発明における一般式（II）で表されるフタロシアニン化合物が、Ｌ（２価の連
結基）を介してＰｃ（フタロシアニン環）が２量体（例えば、Ｐｃ−Ｍ−Ｌ−Ｍ−Ｐｃ）
または３量体を形成する場合において、好ましい分子量、例えば特に好ましい分子量は、
上記記載の特に好ましい分子量（９９５〜１８００の範囲）の２倍（２量体の場合）、ま
たは３倍（３量体の場合）である。ここで、上記２または３量体の好ましい分子量は、連
結基Ｌを含んだ値である。
【００７９】
上記一般式（II）で表されるフタロシアニン化合物として特に好ましい化合物は、下記
（イ）〜（ホ）の組み合わせを有する化合物である。
（イ）Ｒ11、Ｒ12、Ｒ13およびＲ14は、水素原子、置換もしくは無置換のアルキル基、置
換もしくは無置換のアリール基、置換もしくは無置換のヘテロ環基が好ましく、その中で
も水素原子、置換アルキル基、置換アリール基、置換ヘテロ環基が好ましく、水素原子が
最も好ましい。
（ロ）Ｖ1、Ｖ2、Ｖ3およびＶ4は、置換もしくは無置換のアルキル基、置換もしくは無置
換のアリール基、置換もしくは無置換のヘテロ環基が好ましく、その中でも置換アルキル
基、置換アリール基、置換ヘテロ環基が好ましく、置換アルキル基が最も好ましい。更に
、Ｒ11、Ｒ12、Ｒ13、Ｒ14、Ｖ1、Ｖ2、Ｖ3およびＶ4のうちの少なくとも一つがイオン性
親水性基であるかもしくはイオン性親水性基を置換基として有する基であることがより好
ましい。
（ハ）Ｙ31〜Ｙ38に関しては、これらが、それぞれ独立に、水素原子、ハロゲン原子、ア
ルキル基、アリール基、シアノ基、アルコキシ基、アミド基、ウレイド基、スルホンアミ
ド基、カルバモイル基、スルファモイル基、アルコキシカルボニル基、カルボキシル基、
およびスルホン基が好ましく、特に水素原子、ハロゲン原子、シアノ基、カルボキシル基、およびスルホン基が好ましく、水素原子が最も好ましい。
（ニ）Ｍは、Ｃｕ、Ni、Zn、またはAlであることが好ましく、なかでもＣｕであることが
最も好ましい。
（ホ）フタロシアニン化合物の分子量は、７５０〜２５００の範囲が好ましく、更に９９
５〜２５００の範囲の分子量が好ましく、その中でも９９５〜２０００の範囲の分子量が
好ましく、特に９９５〜１８００の範囲の分子量が最も好ましい。
【００８０】
前記一般式（II）で表される化合物の好ましい置換基の組み合わせについては、種々の
置換基の少なくとも1つが前記の好ましい基である化合物が好ましく、より多くの種々の
置換基が前記好ましい基である化合物がより好ましく、全ての置換基が前記好ましい基で
ある化合物が最も好ましい。
【００８１】
一般式（II）で表されるフタロシアニン化合物の中でも、下記一般式（III）で表され
る構造のフタロシアニン化合物がさらに好ましい。以下に、本発明で用いる一般式（III
）で表されるフタロシアニン化合物について詳しく述べる。
【００８２】
一般式（II）で表されるフタロシアニン化合物の中でも、下記一般式（III）で表される構造のフタロシアニン化合物がさらに好ましい。以下に、本発明で好適に用いられる一般式（III）で表されるフタロシアニン化合物について詳しく述べる。
【００８３】
【化７】
2005232296.tif 000008
前記一般式(III)中、Ｒ21、Ｒ22、Ｒ23およびＲ24は、それぞれ独立に、水素原子、置換もしくは無置換のアルキル基、置換もしくは無置換のシクロアルキル基、置換もしくは無置換のアルケニル基、置換もしくは無置換のアラルキル基、置換もしくは無置換のアリール基、または置換もしくは無置換のヘテロ環基を表し、特に水素原子、置換アルキル基、置換アリール基、置換ヘテロ環基が好ましく、その中でも水素原子、置換アルキル基が好ましく、水素原子が最も好ましい。
【００８４】
Ｖ11、Ｖ12、Ｖ13およびＶ14は、それぞれ独立に、置換もしくは無置換のアルキル基、置換もしくは無置換のシクロアルキル基、置換もしくは無置換のアルケニル基、置換もしくは無置換のアラルキル基、置換もしくは無置換のアリール基、または置換もしくは無置換のヘテロ環基を表し、特に置換アルキル基、置換アリール基、置換ヘテロ環基が好ましく、その中でも置換アルキル基が最も好ましい。
【００８５】
Ｒ21、Ｒ22、Ｒ23、Ｒ24、Ｖ11、Ｖ12、Ｖ13およびＶ14が表すアルキル基には、置換基を有するアルキル基および無置換のアルキル基が含まれる。アルキル基としては、置換基を除いたときの炭素原子数が１〜１２のアルキル基が好ましい。置換基の例には、ヒドロキシ基、アルコキシ基、シアノ基、およびハロゲン原子およびイオン性親水性基が含まれる。アルキル基の例には、メチル、エチル、イソプロピル、ｔ−ブチル、ヒドロキシエチル、メトキシエチル、シアノエチル、トリフルオロエチル、３−スルホプロピルおよび４−スルホブチルが含まれる。
【００８６】
Ｒ21、Ｒ22、Ｒ23、Ｒ24、Ｖ11、Ｖ12、Ｖ13およびＶ14が表すシクロアルキル基には、置換基を有するシクロアルキル基および無置換のシクロアルキル基が含まれる。シクロアルキル基としては、置換基を除いたときの炭素原子数が５〜１２のシクロアルキル基が好ましい。置換基の例には、イオン性親水性基が含まれる。シクロアルキル基の例には、シクロヘキシル基が含まれる。
【００８７】
Ｒ21、Ｒ22、Ｒ23、Ｒ24、Ｖ11、Ｖ12、Ｖ13およびＶ14が表すアルケニル基には、置換基を有するアルケニル基および無置換のアルケニル基が含まれる。アルケニル基としては、置換基を除いたときの炭素原子数が２〜１２のアルケニル基が好ましい。置換基の例には、イオン性親水性基が含まれる。アルケニル基の例には、ビニル基、アリル基等が含まれる。
【００８８】
Ｒ21、Ｒ22、Ｒ23、Ｒ24、Ｖ11、Ｖ12、Ｖ13およびＶ14が表すアラルキル基には、置換基を有するアラルキル基および無置換のアラルキル基が含まれる。アラルキル基としては、置換基を除いたときの炭素原子数が７〜１２のアラルキル基が好ましい。置換基の例には、イオン性親水性基が含まれる。アラルキル基の例には、ベンジル基、および２−フェネチル基が含まれる。
【００８９】
Ｒ21、Ｒ22、Ｒ23、Ｒ24、Ｖ11、Ｖ12、Ｖ13およびＶ14が表すアリール基には、置換基を有するアリール基および無置換のアリール基が含まれる。アリール基としては、置換基を除いたときの炭素原子数が６〜１２のアリール基が好ましい。置換基の例には、アルキル基、アルコキシ基、ハロゲン原子、アルキルアミノ基およびイオン性親水性基が含まれる。アリール基の例には、フェニル、ｐ−トリル、ｐ−メトキシフェニル、ｏ−クロロフェニルおよびｍ−（３−スルホプロピルアミノ）フェニルが含まれる。
【００９０】
Ｒ21、Ｒ22、Ｒ23、Ｒ24、Ｖ11、Ｖ12、Ｖ13およびＶ14が表すヘテロ環基には、置換基を有するヘテロ環基および無置換のヘテロ環基が含まれる。
【００９１】
Ｒ21、Ｒ22、Ｒ23、Ｒ24、Ｖ11、Ｖ12、Ｖ13およびＶ14が表すヘテロ環基としては、それぞれ独立に、飽和ヘテロ環であっても、不飽和ヘテロ環であってもよい。
【００９２】
Ｒ21、Ｒ22、Ｒ23、Ｒ24、Ｖ11、Ｖ12、Ｖ13およびＶ14が表すヘテロ環基は、それぞれ独立に、さらに他の環と縮合環を形成していてもよい。
【００９３】
Ｒ21、Ｒ22、Ｒ23、Ｒ24、Ｖ11、Ｖ12、Ｖ13およびＶ14が表すヘテロ環基としては、５員または６員環のヘテロ環基が好ましい。
【００９４】
Ｒ21、Ｒ22、Ｒ23、Ｒ24、Ｖ11、Ｖ12、Ｖ13およびＶ14が表すヘテロ環基およびその縮合環の好ましいものは、５〜６員含窒素ヘテロ環（さらに他の環と縮合環を形成可）である。
【００９５】
Ｒ21、Ｒ22、Ｒ23、Ｒ24、Ｖ11、Ｖ12、Ｖ13およびＶ14が表すヘテロ環基を、置換位置を省略してヘテロ環の形で例示するが、置換位置は限定されるものではなく、例えばピリジンであれば、２位、３位、４位で置換することが可能である。
【００９６】
即ち、ピリジン、ピラジン、ピリミジン、ピリダジン、キノリン、イソキノリン、キナゾリン、シンノリン、フタラジン、キノキサリン、ピロール、ベンゾピロール、インドール、フラン、ベンゾフラン、チオフェン、ベンゾチオフェン、ピラゾール、ベンゾピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。中でも、芳香族ヘテロ環基が好ましく、その好ましい例を先と同様に例示すると、ピリジン、ピラジン、ピリミジン、ピリダジン、ピラゾール、イミダゾール、ベンズイミダゾール、トリアゾール、チアゾール、ベンゾチアゾール、イソチアゾール、ベンズイソチアゾール、チアジアゾールが挙げられる。
【００９７】
Ｒ21、Ｒ22、Ｒ23、Ｒ24、Ｖ11、Ｖ12、Ｖ13およびＶ14が表すヘテロ環基が更に置換基を有する場合の置換基の例としては、アルキル基（Ｒ−）、アルコキシ基（ＲＯ−）、アルキルアミノ基（ＲＮＨ−、ＲＲ'Ｎ−）、カルバモイル基（−ＣＯＮＨＲ）、スルファモイル基（−ＳＯ2ＮＨＲ）、スルホニルアミノ基（−ＮＨＳＯ2Ｒ）、ハロゲン原子、イオン性親水性基が含まれる（なお前記Ｒ、Ｒ'はアルキル基、フェニル基を表し、さらにこれらはイオン性親水性基を有してもよい）。
【００９８】
Ｍは、前記一般式（Ｉ）におけるＭと同義であり、好ましい例も同じである。
【００９９】
但し、Ｒ21、Ｒ22、Ｒ23、Ｒ24、Ｖ11、Ｖ12、Ｖ13およびＶ14の少なくとも１つはイオン性親水性基を置換基として有する。
【０１００】
イオン性親水性基の例は、前記一般式（Ｉ）におけるＸ11、Ｘ12、Ｘ13、Ｘ14の例と同義であり、好ましい例も同じである。
【０１０１】
フタロシアニン化合物の分子量は、７５０〜２５００の範囲が好ましく、更に９９５〜２５００の範囲の分子量が好ましく、その中でも９９５〜２０００の範囲の分子量が好ましく、特に９９５〜１８００の範囲の分子量が最も好ましい。
【０１０２】
一般式(III)で表されるフタロシアニン化合物は、一分子中に少なくとも１つはイオン性親水性基またはイオン性親水性基を置換基として有している基であるので、水性媒体中に対する溶解性または分散性が良好となる。このような観点から、上記一般式（III）で表されるフタロシアニン化合物としては、一分子中にイオン性親水性基を少なくとも２個有するものが好ましく、複数個のイオン性親水性基の少なくとも１個がスルホン基であるものが好ましく、その中でもフタロシアニン化合物一分子中スルホン基を少なくとも２個有するものが最も好ましい。
【０１０３】
上記一般式（III）で表されるフタロシアニン化合物として特に好ましい化合物は、下記（イ）〜（ホ）の組み合わせを有する化合物である。
（イ）Ｒ21、Ｒ22、Ｒ23、Ｒ24に関しては、これらが、それぞれ独立に、水素原子、置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表し、特に水素原子、置換アルキル基、置換アリール基、置換ヘテロ環基が好ましく、その中でも水素原子が最も好ましい。
（ロ）Ｖ11、Ｖ12、Ｖ13、Ｖ14に関しては、これらが、それぞれ独立に、置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表し、特に置換アルキル基、置換アリール基、置換ヘテロ環基が好ましく、その中でもイオン性親水性基を置換基として有するアルキル基が最も好ましい。
（ハ）Ｍは、Ｃｕ、Ni、Zn、またはAlであることが好ましく、なかでもＣｕであることが最も好ましい。
（ニ）フタロシアニン化合物の分子量は、７５０〜２５００の範囲が好ましく、更に９９５〜２５００の範囲の分子量が好ましく、その中でも９９５〜２０００の範囲の分子量が好ましく、特に９９５〜１８００の範囲の分子量が最も好ましい。
（ホ）一般式（III）で表されるフタロシアニン化合物は、分子内に少なくとも１つのイオン性親水性基を有しているので、水性媒体中に対する溶解性または分散性が良好となる。このような観点から、上記一般式（III）で表されるフタロシアニン化合物は、一分子中にイオン性親水性基を少なくとも２個有するものが好ましく、複数個のイオン性親水性基の少なくとも１個がスルホン基であるものが好ましく、その中でも一分子中にスルホン基を少なくとも２個有するものが最も好ましい。
【０１０４】
前記一般式（III）で表される化合物の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１０５】
一般に、インクジェット記録用インク組成物に種々のフタロシアニン誘導体を使用することが知られている。下記一般式（IV）で表されるフタロシアニン誘導体は、その合成時において不可避的に置換基Ｒn（ｎ＝１〜１６）の置換位置（Ｒ1：１位〜Ｒ16：１６位とここで定義する）異性体を含む場合があるが、これら置換位置異性体は互いに区別することなく同一誘導体として見なしている場合が多い。また、Ｒの置換基に異性体が含まれる場合も、これらを区別することなく、同一のフタロシアニン誘導体として見なしている場合が多い。
一般式(IV)
【０１０６】
【化８】
2005232296.tif 000009
本明細書中で定義するフタロシアニン系色素において構造が異なる場合とは、一般式（IV）で説明すると、置換基（Ｒn（ｎ＝１〜１６））の構成原子種が異なる場合、置換基Ｒnの数が異なる場合または置換基Ｒnの位置が異なる場合のいずれかである。
【０１０７】
本発明において、上記一般式（IV）で表されるフタロシアニン系色素の構造が異なる（特に、置換位置）誘導体を以下の三種類に分類して定義する。
β−位置換型：（２および／または３位、６および／または７位、１０および／または１１位、１４および／または１５位に特定の置換基を有するフタロシアニン化合物）。
α−位置換型：（１および／または４位、５および／または８位、９および／または１２位、１３および／または１６位に特定の置換基を有するフタロシアニン化合物）。
α，β−位混合置換型：（１〜１６位に規則性なく、特定の置換基を有するフタロシアニン化合物）。
【０１０８】
本明細書中において、構造が異なる（特に、置換位置）フタロシアニン系色素の誘導体を説明する場合、上記β−位置換型、α−位置換型、α，β−位混合置換型を使用する。
【０１０９】
本発明に用いられるフタロシアニン誘導体は、例えば白井−小林共著、（株）アイピーシー発行「フタロシアニン−化学と機能−」（Ｐ．１〜６２）、Ｃ．Ｃ．Ｌｅｚｎｏｆｆ−Ａ．Ｂ．Ｐ．Ｌｅｖｅｒ共著、ＶＣＨ発行'Ｐｈｔｈａｌｏｃｙａｎｉｎｅｓ−Ｐｒｏｐｅｒｔｉｅｓ ａｎｄ Ａｐｐｌｉｃａｔｉｏｎｓ'（Ｐ．１〜５４）等に記載、引用もしくはこれらに類似の方法を組み合わせて合成することができる。
【０１１０】
本発明に用いる一般式（I）で表されるフタロシアニン化合物は、ＷＯ００／１７２７５、同００／０８１０３、同００／０８１０１、同９８／４１８５３、特開平１０−３６４７１号などに記載されているように、例えば無置換のフタロシアニン化合物のスルホン化、スルホニルクロライド化、アミド化反応を経て合成することができる。
【０１１１】
この場合、スルホン化がフタロシアニン核のどの位置でも起こり得る上にスルホン化される個数も制御が困難である。
【０１１２】
従って、このような反応条件でスルホン基を導入した場合には、生成物に導入されたスルホン基の位置と個数は特定できず、必ず置換基の個数や置換位置の異なる混合物を与える。
【０１１３】
従ってそれを原料として本発明の化合物を合成する時には、ヘテロ環置換スルファモイル基の個数や置換位置は特定できないので、化合物としては置換基の個数や置換位置の異なる化合物が何種類か含まれる混合物として得られる。
【０１１４】
前記一般式（Ｉ）〜（III）で表されるフタロシアニン化合物の中で例えば、下記一般式（Ｖ）で表されるフタロシアニン化合物は、例えば下記一般式（VI）で表されるフタロニトリル誘導体及び／または下記一般式（VII）で表されるジイミノイソインドリン誘導体を一般式（VIII）で表される金属誘導体と反応させることにより合成される。
【０１１５】
一方、一般式（Ｖ）で表されるフタロシアニン化合物は、一般式（IX）で表される４−スルホフタル酸−ナトリウム塩と一般式（VIII）で表される金属誘導体を反応させることにより、フタロシアニン銅（II）−テトラスルホン酸−４ナトリウムを合成した後、対応するスルホニルクロライドに誘導し、目的とするアミン及び／またはアニリン誘導体と反応することにより合成することもできる（例えばＧ1、Ｇ2、Ｇ3及びＧ4が、Ｇ1：｛−ＳＯ2Ｎ（Ｒ21）（Ｖ11）｝、Ｇ2：｛−ＳＯ2Ｎ（Ｒ22）（Ｖ12）｝、Ｇ3：｛−ＳＯ2Ｎ（Ｒ23）（Ｖ13）｝、Ｇ4：｛−ＳＯ2Ｎ（Ｒ24）（Ｖ14）｝の場合）。
【０１１６】
なお、一般式（Ｖ）中のｌ、ｍ、ｎ、ｐは、一般式(VI)及び／または一般式（VII）中のｔと同義であり、ｔは１〜２の整数である。また、一般式（Ｖ）中のＧ1、Ｇ2、Ｇ3及びＧ4は、それぞれ独立に、一般式（III）中のＧ1：｛−ＳＯ2Ｎ（Ｒ21）（Ｖ11）｝、Ｇ2：｛−ＳＯ2Ｎ（Ｒ22）（Ｖ12）｝、Ｇ3：｛−ＳＯ2Ｎ（Ｒ23）（Ｖ13）｝、Ｇ4：｛−ＳＯ2Ｎ（Ｒ24）（Ｖ14）｝を表す。
【０１１７】
【化９】
2005232296.tif 000010
このようにして得られる前記一般式（Ｖ）で表される化合物は通常、Ｒ1（ＳＯ2−Ｚ1）、Ｒ2（ＳＯ2−Ｚ2）、Ｒ3（ＳＯ2−Ｚ3）、Ｒ4（ＳＯ2−Ｚ4）の各置換位置における異性体である下記一般式（ａ）−１〜（ａ）−４で表される化合物の混合物となっている。
【０１１８】
さらに、置換基の異なる２種類以上の一般式(VI)及び／又は一般式(VII)を用いて染料を調製する場合には、一般式（Ｖ）で表される化合物は、置換基の種類、位置が異なる染料混合物となっている。
【０１１９】
【化１０】
2005232296.tif 000011
本発明に用いるシアン染料の例としては、特開２００２−２５６１６７号、同２００２−２７５３８６号、同２００２−２８５０５０号、同２００２−２９４０９７号、同２００２−３０２６２３号、同２００２−３０９１１８号、同２００３−２１３１６７号、同２００３−２１３１６８号公報に記載の該当する構造の化合物を挙げることができるが、特に好ましいものは下記表に挙げるものである。表１に記載の化合物については、上記公報に記載の方法で合成できる。もちろん、出発化合物、色素中間体および合成方法について、これらに限定されるものではない。
【０１２０】
【表１】
2005232296.tif 000012
染料の含有量は、一般式（Ｉ）で表される化合物の種類、溶媒成分の種類等により決められるが、インク組成物全重量に対し、好ましくは０．１〜１０重量％、さらに好ましくは０．５〜５重量％の範囲である。０．１重量％以上とすることで、記録媒体上での発色性又は画像濃度を確保でき、１０重量％以下とすることで、インク組成物の粘度調整が容易となり吐出信頼性や目詰まり性等の特性が容易に確保できる。
【０１２１】
本発明のインク組成物においては、上記のフタロシアニン系シアン染料を含有したインク組成物を用いてベタ印刷した場合に見られる変退色（フタロシアニン系シアン染料が耐ガス性、特に耐オゾン性に劣ることに起因する現象）を抑制するために、特定のスルホン基を有する芳香族化合物及び／又はその塩を少なくとも１種含有する。
【０１２２】
本発明は、かかる特定のスルホン基を有する芳香族化合物及び／又はその塩を、前記式（Ｉ）で示されるフタロシアニン系シアン染料と組み合わせて使用することにより、オゾンガスに由来する画像の変退色を抑止し、画像の耐退色性を飛躍的に向上させたものである。
【０１２３】
また、本発明においては、水と前記フタロシアニン系シアン染料と特定のスルホン基を有する芳香族化合物又はその塩を少なくとも１種含有するインク組成物であれば、シアンインク組成物は勿論のこと、例えば、ブラックインク組成物等のシアンとは異なる色のインク組成物であっても、ベタ印刷した場合に見られる変退色を効果的に防止することができる。これら各種のインク組成物を作製するためには、従来公知の他の染料と併用することができる。
【０１２４】
本発明のインク組成物に使用されるスルホン基を有する芳香族化合物又はその塩は、下記一般式（ａ）及び／又は（ｂ）で表されるスルホン基を有する芳香族化合物及び／又はその塩である。該スルホン基を有する芳香族化合物及び／又はその塩を含むことにより、ＮＯxガスに由来する緑変・黒変現象を起こすことなく、オゾンガスに由来する画像の変退色を抑止し、画像の耐退色性を向上できる。
【０１２５】
【化１１】
2005232296.tif 000013
（式中、Ｍ1は塩を構成する対イオンを示し、Ｘは１〜３の整数を示し、Ｒ1及びＲ2はそれぞれ水素原子、炭素数１〜６のアルキル基又は炭素数１〜６のアルコキシ基を示し、Ｒ1及びＲ2は同一でも異なっていても良い。）
【０１２６】
【化１２】
2005232296.tif 000014
（式中、Ｍ2は塩を構成する対イオンを示し、Ｙは１〜４の整数を示し、Ｒ3及びＲ4はそれぞれ水素原子、炭素数１〜６のアルキル基又は炭素数１〜６のアルコキシ基を示し、Ｒ3及びＲ4は同一でも異なっていても良い。）
前記一般式（ａ）及び／又は（ｂ）で表されるスルホン基を有する芳香族化合物及び／又はその塩としては、分子構造中にスルホン基を少なくとも１つ有する芳香族化合物又はその塩であればいかなるものでも良いが、スルホン基を２つ以上有するもの、特に、１，３−ベンゼンジスルホン酸、ナフタレン−１，５−ジスルホン酸、ナフタレン−１，６−ジスルホン酸、ナフタレン−２，６−ジスルホン酸、ナフタレン−２，７−ジスルホン酸、ナフタレン−１，３，６−トリスルホン酸、及びそれらの塩からなる群より選択される少なくとも１種が、得られる画像の耐オゾン性の改善の点で好ましい。
【０１２７】
スルホン基を有する芳香族化合物の塩は、塩の形で添加され、インク組成物中に含有されることも可能であり、また、該スルホン基を有する芳香族化合物と塩基とが別々に添加され、インク組成物中に含有されることも可能である。このような塩としては、その構成する対イオンに特に限定されず、例えば、金属塩やアンモニウム塩等が挙げられるが、特にアルカリ金属塩が好ましく、具体的には、ナトリウム塩、リチウム塩、カリウム塩等が挙げられる。
【０１２８】
スルホン基を有する芳香族化合物及び／又はその塩の含有量は、該スルホン基を有する芳香族化合物及び／又はその塩の種類、染料の種類、溶媒成分の種類等により適宜決定されるが、インク組成物全重量に対し、好ましくは０．１〜１０重量％、更に好ましくは０．５〜１０重量％の範囲である。
【０１２９】
本発明のインク組成物においては、前記フタロシアニン系シアン染料と、前記スルホン基を有する芳香族化合物及び／又はその塩との含有比率は、効果的に耐ガス性を向上し且つインクの信頼性を確保する点で、１：０．１〜１：１０、特に、１：０．２〜１：５の範囲内にあることが好ましい。
【０１３０】
所定の染料およびスルホン基を有する芳香族化合物及び／又はその塩の量を安定して溶解させるためには、インク組成物のｐＨ（２０℃）は８．０以上であることが好ましい。また、インク組成物が接する各種部材との耐材料性を考慮すると、インク組成物のｐＨは１０．５以下であることが好ましい。これらの事項をよりよく両立させるためには、インク組成物のｐＨを８．０〜１０．５、特に８. ５〜１０．０に調整することがより好ましい。
【０１３１】
本発明のインク組成物は、さらに蒸気圧が純水よりも小さい水溶性有機溶剤及び／又は糖類から選ばれる保湿剤を含むことができる。
【０１３２】
保湿剤を含むことにより、インクジェット記録方式において、水分の蒸発を抑制してインクを保湿することができる。また、水溶性有機溶剤であれば、吐出安定性を向上させたり、インク特性を変化させることなく粘度を容易に変更することができる。
【０１３３】
水溶性有機溶剤は、溶質を溶解する能力を持つ媒体を指しており、有機性で蒸気圧が水より小さい水溶性の溶媒から選ばれる。具体的には、エチレングリコール、プロピレングリコール、ブタンジオール、ペンタンジオール、２−ブテン−１，４−ジオール、２−メチル−２，４−ペンタンジオール、グリセリン、１，２，６−ヘキサントリオール、ジエチレングリコール、トリエチレングリコール、ジプロピレングリコール等の多価アルコール類、アセトニルアセトン等のケトン類、γ−ブチロラクトン、リン酸トリエチル等のエステル類、フルフリルアルコール、テトラヒドロフルフリルアルコール、チオジグリコール等が望ましい。
【０１３４】
また、糖類としては、マルチトール、ソルビトール、グルコノラクトン、マルトース等が好ましい。
【０１３５】
保湿剤は、インク組成物全量に対して、好ましくは５〜５０重量％、より好ましくは５〜３０重量％、さらに好ましくは５〜２０重量％の範囲で添加される。５重量％以上であれば、保湿性が得られ、また、５０重量％以下であれば、インクジェット記録に用いられる粘度に調整しやすい。
【０１３６】
また、本発明のインク組成物には、溶剤として含窒素系有機溶剤を含んでなることが好ましい。含窒素系有機溶剤としては、１，３−ジメチル−２−イミダゾリジノン，２−ピロリドン，Ｎ−メチル−２−ピロリドン，ε−カプロラクタム等が挙げられ、中でも、２−ピロリドンが好適に用いられることができる。それらは、単独または２種以上併用して用いられることもできる。
【０１３７】
その含有量は、０．５〜１０重量％が好ましく、さらに好ましくは１〜５重量％である。その含有量を、０．５重量％以上とすることで、添加することによる本発明の色材の溶解性向上を図ることができ、１０重量％以下とすることで、インク組成物が接する各種部材との耐材料性を悪化させることがない。
【０１３８】
また、本発明のインク組成物には、インクの速やかな定着(浸透性) を得ると同時に、１ドットの真円度を保つのに効果的な添加剤として、ノニオン系界面活性剤を含むことが好ましい。
【０１３９】
本発明に用いることのできるノニオン系界面活性剤としては、例えば、アセチレングリコール系界面活性剤が挙げられる。アセチレングリコール系界面活性剤として、具体的には、サーフィノール４６５、サーフィノール１０４（以上、Air Products and Chemicals Inc. 製）、オルフィンＥ１０１０、オルフィンＰＤ００１、オルフィンＳＴＧ( 以上、日信化学工業(株)製、商品名) 等が挙げられる。その添加量は好ましくは０. １〜５重量％、更に好ましくは０. ５〜２重量％である。添加量を０. １重量％以上とすることで、十分な浸透性を得ることができ、また、５重量％以下とすることで、画像のにじみの発生を防止し易い。
【０１４０】
本発明のインク組成物は、さらに、浸透性を向上できる点で、浸透促進剤を含んでなることが好ましい。該浸透促進剤として、グリコールエーテル類を添加することにより、より浸透性が増すとともに、カラー印刷を行った場合の隣合うカラーインクとの境界のブリードが減少し、非常に鮮明な画像を得ることができる。
【０１４１】
グリコールエーテル類としては、エチレングリコールモノブチルエーテル、ジエチレングリコールモノブチルエーテル、トリエチレングリコールモノエチルエーテル、プロピレングリコールモノメチルエーテル、ジプロピレングリコールモノエチルエーテル、プロピレングリコールモノブチルエーテル、ジプロピレングリコールモノブチルエーテル、トリエチレングリコールモノブチルエーテル等が挙げられる。その添加量は３〜３０重量％、好ましくは５〜１５重量％である。添加量が３重量％未満であると、ブリード防止の効果が得られないおそれがある。また、３０重量％を越えると画像ににじみが発生するばかりか、油状分離が起きるためにこれらのグリコールエーテル類の溶解助剤が必要となり、それに伴ってインクの粘度が上昇し、インクジェットヘッドでは吐出が難しくなる。
【０１４２】
さらに、本発明のインク組成物には、必要に応じて、トリエタノールアミンやアルカリ金属の水酸化物等のｐＨ調整剤、尿素およびその誘導体等のヒドロトロピー剤、アルギン酸ナトリウム等の水溶性ポリマー、水溶性樹脂、フッ素系界面活性剤、防カビ剤、防錆剤、防腐剤等が添加されてもよい。
【０１４３】
本発明のインク組成物の調製方法としては、たとえば、各成分を十分混合溶解し、孔径０．８μｍのメンブランフィルターで加圧濾過したのち、真空ポンプを用いて脱気処理して調製する方法などがある。
【０１４４】
本発明はまた、前述したインク組成物を少なくとも備えるインクカートリッジを提供することができる。本発明のインクカートリッジによれば、形成画像の室内保存性（ガス耐性）を向上させることができ、画像の早期の変退色を効果的に防止することができるインクの運搬等、取り扱いの容易化を可能とする。
【０１４５】
次に、上述のインク組成物を用いた本発明の記録方法について説明する。本発明の記録方法はインク組成物を微細孔から液滴として吐出させ、該液滴を記録媒体に付着させて記録を行うインクジェット記録方式がとりわけ好適に使用できるが、一般の筆記具用、記録計、ペンプロッター等の用途にも使用できることは言うまでもない。
【０１４６】
インクジェット記録方式としては、従来公知の方式はいずれも使用でき、特に圧電素子の振動を利用して液滴を吐出させる方法（電歪素子の機械的変形によりインク滴を形成するインクジェットヘッドを用いた記録方法）や熱エネルギーを利用する方法においては優れた画像記録を行うことが可能である。
【０１４７】
また、本発明の記録物は、上述のインク組成物を用いて記録されたもので、画像の室内保存性（ガス耐性）に優れたものであり、早期の変退色を生じることがない。
【発明の効果】
【０１４８】
本発明のインク組成物は、得られる画像の室内保存性（ガス耐性）を向上させることができ、画像の早期の変退色を効果的に防止することができるという優れた効果を奏する。
【発明を実施するための最良の形態】
【０１４９】
以下に、本発明の実施例及び比較例を挙げて、本発明をより具体的に説明するが、本発明は、斯かる実施例により何等制限されるものではない。
【０１５０】
［実施例１〜１３及び比較例１〜９］
実施例１〜１３及び比較例１〜９のインク組成物を、表２に示す配合割合で各成分を混合して溶解させ、孔径１μｍのメンブランフィルターにて加圧濾過を行って、各インク組成物を調製した。
【０１５１】
【表２】
2005232296.tif 000015
なお、表２中に示すインク組成物の各成分はインク組成物全量に対する各成分の重量％を示し、残量は水である。また、実施例に用いた色材は前記の表１に示す化合物（化合物Ａ〜Ｆ）であり、比較例に用いた色材はＣ．Ｉ．ダイレクトブルー１９９である。
【０１５２】
上記の実施例１〜１３及び比較例１〜９に記載のインク組成物を、インクジェットプリンタＰＭ９７０Ｃ（セイコーエプソン株式会社製）を用いて、インクジェット専用記録媒体（ＰＭ写真用紙：セイコーエプソン株式会社製）に印字し、以下の各評価を行った。  
【０１５３】
≪耐オゾン性の試験≫
上記のカートリッジを用い、ＯＤ（Optical Density）が、０．９〜１．１の範囲に入るように印加Dutyを調整して印刷を行って得られた印刷物を、オゾンウェザーメータＯＭＳ−Ｈ型（商品名、（株）スガ試験機製）を用い、２４℃、相対湿度６０％ＲＨ、オゾン濃度２０ｐｐｍの条件下にて、印刷物を所定時間（１２、２４時間）曝露した。
【０１５４】
曝露後、それぞれの印刷物のＯＤを、濃度計（Spectrolino：Gretag社製）を用いて測定し、次式により光学濃度残存率（ＲＯＤ）を求め、下記判定基準により、評価した。
【０１５５】
ＲＯＤ（％）＝（Ｄ／Ｄ0）×１００
Ｄ：曝露試験後のＯＤ
Ｄ0：曝露試験前のＯＤ
（但し、測定条件は、Ｆｉｌｔｅｒ：Red、光源：D50、視野角：２度）  
【０１５６】
［判定基準］
評価Ａ：ＲＯＤが９０％以上
評価Ｂ：ＲＯＤが８０％以上９０％未満
評価Ｃ：ＲＯＤが７０％以上８０％未満
評価Ｄ：ＲＯＤが７０％以下  
【０１５７】
≪耐窒素酸化物性の試験≫
実施例１〜１３及び比較例１〜９のインク組成物を充填した上記のカートリッジを用い、ＯＤ（Optical Density）が、０．９〜１．１の範囲に入るように印加Dutyを調整して印刷を行って得られた印刷物を、ガス腐食試験機ＧＳ−ＵＶ型（商品名、（株）スガ試験機製）を用い、２４℃、相対湿度６０％ＲＨ、二酸化窒素濃度１０ｐｐｍの条件下にて、印刷物を所定時間（１２、２４時間）曝露した。
【０１５８】
曝露後、それぞれの印刷物のＣＩＥ−Ｌ*ａ*ｂ*座標を、濃度計（Spectrolino：Gretag社製）を用いて測定し、次式により、色差（ΔＥ）を求め、下記の判定基準により評価した。
【０１５９】
ΔＥ＝｛（Ｌ*−Ｌ0*）２＋（ａ*−ａ0*）２＋（ｂ*−ｂ0*）２｝1/2
Ｌ*、ａ*、ｂ*  ：曝露試験後の各座標値
Ｌ0*、ａ0*、ｂ0*：曝露試験前の各座標値  
【０１６０】
［判定基準］
評価Ａ：ΔＥが３未満
評価Ｂ：ΔＥが３以上１０未満
評価Ｃ：ΔＥが１０以上２０未満
評価Ｄ：ΔＥが２０以上  
【０１６１】
≪耐目詰り性≫
インクをインクジェットプリンタＰＭ９７０Ｃ（セイコーエプソン株式会社製）に充填し、１０分間連続して印刷し、ノズルからインクが吐出していることを確認後、印字を停止した。ヘッドにキャップせずにプリンタを、実施例１〜１３及び比較例１〜９の各インク組成物について４０℃、２５％ＲＨの環境に２週間放置した。放置後、ノズルのクリーニング操作を行い、その後印字を行った。カスレ、抜けなどの不良印字がなく、初期と同等の印字が可能となるまでのクリーニング操作の回数で、そのインクの目詰まり特性を評価した。  
【０１６２】
［判定基準］
評価Ａ：１〜５回のクリーニング操作で初期と同等の印字が得られる場合
評価Ｂ：６〜１０回のクリーニング操作で初期と同等の印字が得られる場合
評価Ｃ：１１〜１５回のクリーニング操作で初期と同等の印字が得られる場合
評価Ｄ：１６回以上のクリーニング操作によっても初期と同等の印字は不可能
得られた評価結果を表３に示す。
【０１６３】
【表３】
2005232296.tif 000016
【産業上の利用可能性】
【０１６４】
本発明は、特定のフタロシアニン系シアン染料を用いたインク組成物であって、形成画像の室内保存性（ガス耐性）を向上させることができ、更には画像の早期の変退色を効果的に防止することができるインク組成物、並びにこれを用いたインクジェット記録方法及び記録物として、産業上の利用可能性を有する。
【図面の簡単な説明】
【０１６５】
【図１】図１は、比較例のインク組成物に含有される染料（Ｃ．Ｉ．ダイレクトブルー１９９）（＊１）の分光特性（吸収波長）を示す図である。
【図１】
2005232296.tif 000021